(57)【要約】【課題】酸処理による効率化を最大限に発揮して高白色度のパルプを得ることができ、さらに、塩素系漂白薬品の使用量を低減させ、有機塩素化合物の副生を抑え、漂白排水による環境汚染を抑えることができるクラフトパルプのＥＣＦ漂白方法を提供する。【解決手段】クラフトパルプのＥＣＦ漂白方法において、蒸解処理された未晒パルプを酸素漂白した後、多段漂白する際に、初段二酸化塩素段処理直後に、酸処理段を設け、かつ該酸処理段が、反応温度５０〜９５℃、反応時間６０〜１８０分、反応終期ｐＨ２．０〜４．０からなる漂白条件であることを特徴とするクラフトパルプのＥＣＦ漂白方法。好ましくは多段漂白段が、二酸化塩素段−酸処理段−アルカリ処理段、またはアルカリ／酸素段−二酸化塩素段、二酸化塩素段−酸処理段−アルカリ処理段、またはアルカリ／酸素段−過酸化水素段−二酸化塩素段、二酸化塩素段−酸処理段−アルカリ／過酸化物段、またはアルカリ／酸素／過酸化物段−二酸化塩素段からなる多段漂白処理であることを特徴とする。【選択図】  なし【特許請求の範囲】
【請求項１】
クラフトパルプのＥＣＦ漂白方法において、蒸解処理された未晒パルプを酸素漂白した後、多段漂白する際に、初段二酸化塩素段処理直後に、酸処理段を設け、かつ該酸処理段が、反応温度５０〜９５℃、反応時間６０〜１８０分、反応終期ｐＨ２．０〜４．０からなる漂白条件であることを特徴とするクラフトパルプのＥＣＦ漂白方法。
【請求項２】
多段漂白段が、二酸化塩素段−酸処理段−アルカリ処理段（またはアルカリ／酸素段）−二酸化塩素段からなる多段漂白処理であることを特徴とする請求項１記載のクラフトパルプのＥＣＦ漂白方法。
【請求項３】
多段漂白段が、二酸化塩素段−酸処理段−アルカリ処理段（またはアルカリ／酸素段）−過酸化水素段−二酸化塩素段からなる多段漂白処理であることを特徴とする請求項１記載のクラフトパルプのＥＣＦ漂白方法。
【請求項４】
多段漂白段が、二酸化塩素段−酸処理段−アルカリ／過酸化物段（またはアルカリ／酸素／過酸化物段）−二酸化塩素段からなる多段漂白処理であることを特徴とする請求項１記載のクラフトパルプのＥＣＦ漂白方法。
【発明の詳細な説明】
【技術分野】
【０００１】
本発明は、クラフトパルプのＥＣＦ漂白方法に関し、さらに詳しくは、酸処理による効率化を最大限に発揮して高白色度のパルプを得ることができ、さらに、塩素系漂白薬品の使用量を低減させ、有機塩素化合物の副生を抑え、漂白排水による環境汚染を抑えることができるクラフトパルプのＥＣＦ漂白方法に関するものである。
【背景技術】
【０００２】
現在、製紙用化学パルプの漂白においては、多段にわたる漂白処理により実施されている。従来、この多段漂白方法では、漂白剤として塩素系漂白薬品が使用されている。具体的には、塩素処理（Ｃ段）、アルカリ抽出（Ｅ段）、次亜塩素酸塩処理（Ｈ段）、二酸化塩素処理（Ｄ段）の組み合わせにより、例えば、Ｃ−Ｅ−Ｈ−Ｄ、Ｃ／Ｄ−Ｅ−Ｈ−Ｄ、Ｃ／Ｄ−Ｅ−Ｈ−Ｅ−Ｄなどの漂白シーケンスによって化学パルプの漂白が行われている。ここで、「Ｃ／Ｄ」とは塩素と二酸化塩素の併用処理である。
【０００３】
しかし、漂白に用いられる塩素系漂白薬品は、漂白時に有機塩素化合物を副生し、この有機塩素化合物を含有する漂白排水が環境汚染を招くことから問題になっている。有機塩素化合物については、一般に、ＡＯＸ法、例えば、米国環境庁法（ＥＰＡ  ＭＥＴＨＯＤ−９０２０号）によって分析、評価される。
【０００４】
有機塩素化合物の副生を低減・防止するには、塩素系薬品の使用量を低減するか、ないしは使用しないことが最も効果的である。元素状塩素を使用せず塩素系薬品を低減する漂白方法はＥＣＦ漂白方法と称せられ、このＥＣＦ漂白方法に使用される漂白剤としては、主に二酸化塩素、酸素、過酸化水素が使用される。塩素系漂白剤を全く使用しない漂白方法は、ＴＣＦ（トータル・クロリン・フリー）漂白方法と称せられ、このＴＣＦ漂白方法に使用される漂白剤としては、主にオゾン、酸素、過酸化水素、過酢酸などの塩素を全く含まない漂白剤が使用される。現在のところ、世界的にはＥＣＦ漂白方法が主流であり、ＴＣＦ漂白方法は一部である。
【０００５】
従来より、塩素漂白方法からＥＣＦ漂白方法へ転換する方法および各種ＥＣＦ漂白シーケンスがある。（例えば、特許文献１、２参照。）例えば、Ｃ−Ｅｏ（アルカリ抽出／酸素処理）−Ｈ−Ｄというシーケンスにより漂白を行っていた場合、Ｃ段の塩素の代わりに二酸化塩素を使用してＨ段を無くすか、またはＨ段の次亜塩素酸塩の代わりに二酸化塩素を使用し、最終段を二酸化塩素として、例えば、Ｄ−Ｅｏ−Ｄ、Ｄ−Ｅｏ−Ｄ−Ｄ、Ｄ−Ｅｏ−ＤｎＤのような漂白シーケンス、またＥｏ段に過酸化水素を添加したＤ−Ｅｏｐ−Ｄ、Ｄ−Ｅｏｐ−Ｄ−Ｄ、Ｄ−Ｅｏｐ−ＤｎＤのような漂白シーケンスとすることができる。ここで、ＤｎＤの”ｎ”は、Ｄ段とＤ段の間を洗浄せず中和のみを行う漂白方法であり、Ｅｏｐは、アルカリ抽出／酸素／過酸化物処理のことである。
【０００６】
現状、製紙用化学パルプの漂白方法はＥＣＦ漂白が主流であるが、その漂白薬品の二酸化塩素は塩素や次亜塩素酸塩に比べて、環境への影響が少ないが、高価であるので、なるべく添加率を少なくするための最適な条件の探索がなされている。
【０００７】
元素状塩素の不在下において化学パルプを漂白する場合の二酸化塩素使用量を低減する方法として、ヘミセルロース分解酵素でパルプを処理した後、二酸化塩素で漂白すると、使用しない場合に比べ、二酸化塩素の添加率を約２０％減添できる方法が開示されている（例えば、特許文献１参照。）が、酵素使用によるパルプ粘度の低下、収率低下などの問題や、酵素処理の反応が基質特異性を有するため、顕著に効果がでないパルプなどが出てくる恐れもあり、酵素自身も安価な試薬ではないため、漂白コストは逆に増大する可能性もある。
【０００８】
二酸化塩素添加率を削減する手段として、二酸化塩素にオゾンを組み合わせて漂白することが記載されており、これによりトータルの二酸化塩素添加率は５０％削減できると記載されている（例えば、特許文献２参照。）。しかし、パルプ粘度は２７．５ｍＰａ．ｓから１６ｍＰａ．ｓに低下しており、またオゾンを発生するための設備が必要となる点から、既存の工場への導入は容易ではない。
【０００９】
製紙用化学パルプの製造において、二酸化塩素の使用量を低減させる方法として、漂白前あるいは漂白後のｐＨを１〜３で行い、その直後にアルカリ媒体中で過酸化物と酸素による脱リグニンおよび漂白を行うこと、あるいは二酸化塩素段にキレート剤を添加する方法が開示されている（例えば、特許文献３および特許文献４参照。）。この処理による処理後の白色度は５％程度高くなり、トータル二酸化塩素添加率は対パルプ０．５重量％まで抑えることができたが、比較例は、塩素を含む漂白シーケンスであり、ＥＣＦ漂白シーケンスの比較例を最終段まで漂白して比較していないため、ＥＣＦ漂白の削減効果は定かでない。
【００１０】
また、このような二酸化塩素段のｐＨ調整やキレート剤の併用は、その後段での過酸化物と酸素の反応を効率的に行うために、重金属除去効果を主眼としており、本願発明のように、二酸化塩素漂白の効率を上げるものではない。また、これらの方法で処理しても、過酸化物をその直後に使用しない場合もあり、この場合には効果が見られなくなる恐れもある。
【００１１】
なお、酸処理段を設けるシーケンスについては、すでに数多く述べられ、記載されているが（例えば、特許文献５参照。）、これらは多段漂白の前工程や漂白後に設けたものであり、本発明のような、多段漂白の初段二酸化塩素段の後に続くものではない。
【特許文献１】特開平４−２６３６８７号公報
【特許文献２】特開平４−２６３６８８号公報
【特許文献３】特開平９−８７９８５号公報
【特許文献４】特開平９−８７９８６号公報
【特許文献５】特開平６−１０１１８６号公報
【発明の開示】
【発明が解決しようとする課題】
【００１２】
本発明の目的は、酸処理による効率化を最大限に発揮して高白色度のパルプを得ることができ、さらに、塩素系漂白薬品の使用量を低減させ、有機塩素化合物の副生を抑え、漂白排水による環境汚染を抑えることができるとクラフトパルプのＥＣＦ漂白方法を提供するものである。
【課題を解決するための手段】
【００１３】
本発明者は、一般的に実施されている漂白設備の大幅な変更を必要とせず、高白色度、高品質のパルプを経済的に得ることのできる漂白方法について、鋭意検討した結果、本発明に至った。
【００１４】
本発明のクラフトパルプのＥＣＦ漂白方法は、蒸解処理された未晒パルプを酸素漂白した後、多段漂白する際に、初段二酸化塩素段処理直後に、酸処理段を設け、かつ該酸処理段が、反応温度５０〜９５℃、反応時間６０〜１８０分、反応終期ｐＨ２．０〜４．０からなる漂白条件であることを特徴とするものである。
【００１５】
上記発明において、多段漂白段が、二酸化塩素段−酸処理段−アルカリ段（またはアルカリ／酸素段）−二酸化塩素段からなる多段漂白処理であることを特徴とする。
【００１６】
また、多段漂白段が、二酸化塩素段−酸処理段−アルカリ段（またはアルカリ／酸素段−過酸化物段）−二酸化塩素段からなる多段漂白処理であることを特徴とする。
【００１７】
さらに、多段漂白段が、二酸化塩素段−酸処理段−アルカリ／過酸化物段（またはアルカリ／酸素／過酸化物段）−二酸化塩素段からなる多段漂白処理であることを特徴とする。
【発明の効果】
【００１８】
本発明の製紙用パルプの化学漂白方法は、酸処理による効率化を最大限に発揮して高白色度のパルプを得ることができ、さらに、塩素系漂白薬品の使用量を低減させ、有機塩素化合物の副生を抑え、漂白排水による環境汚染を抑えることができる。
【発明を実施するための最良の形態】
【００１９】
以下、本発明のクラフトパルプのＥＣＦ漂白方法について、詳細に説明する。
【００２０】
木材を蒸解後、酸素漂白して得られるパルプを塩素や次亜塩素酸塩を含まない漂白薬品で漂白する（ＥＣＦ漂白）際に、初段に二酸化塩素段を用いた直後、アルカリ処理や酸素および過酸化物を含むアルカリ処理による抽出工程が続く従来法に比べ、二酸化塩素段とアルカリ段の間に、酸処理段を設けることにより、漂白全工程における二酸化塩素添加率が少なく済み、高白色度のパルプを得ることができるというものである。
【００２１】
本発明における漂白シーケンスとしては、例えば、Ｄ−ＤＡ−Ｅ−Ｄ、Ｄ−ＤＡ−Ｅｏ−Ｄ、Ｄ−ＤＡ−Ｅｐ−Ｄ、Ｄ−ＤＡ−Ｅｏｐ−Ｄ、Ｄ−ＤＡ−Ｅｏ−Ｐ−Ｄ、Ｄ−ＤＡ−Ｅ−Ｐ−Ｄなどが挙げられる。
Ｄ    ：二酸化塩素処理
ＤＡ  ：酸処理（主に硫酸使用）
Ｅ    ：アルカリ処理（主に苛性ソーダ使用）
Ｅｐ  ：アルカリ／過酸化物処理（主に過酸化水素使用）
Ｅｏｐ：アルカリ／酸素／過酸化物処理
Ｐ    ：過酸化物処理
【００２２】
以下に本発明の通用例の一つとして、蒸解したパルプを高温高圧酸素漂白したパルプの漂白方法として、Ｄｏ−ＤＡ−Ｅ−Ｐ−Ｄ１、Ｄｏ−ＤＡ−Ｅｏ−Ｐ−Ｄ１の漂白シーケンスについて、具体的に説明する。ここで、Ｄｏ段は、初段の二酸化塩素漂白であり、Ｄ１段は、最終段の二酸化塩素漂白処理を示すものである。
【００２３】
本発明では、蒸解処理した化学パルプに対し、まず、高温高圧酸素漂白処理（Ｏ段）を行う。Ｏ段の漂白処理におけるパルプ濃度、温度、時間、アルカリ量、酸素量、操作圧力の条件は、一般に行われている条件に準じる。例えば、パルプ濃度は７〜３０質量％、好ましくは、１０〜２０質量％であり、温度は６０〜１３０℃、好ましくは９０〜１１０℃であり、処理時間は２０〜１５０分、好ましくは３０〜９０分であり、アルカリ量はＮａＯＨ換算で絶乾パルプ当たり０．５〜５．０質量％であり、操作圧力は２．４５〜９．８×１０５Ｐａ・ｓ、好ましくは３．４３〜７．８４×１０５Ｐａ・ｓである。Ｏ段における漂白処理後のパルプは、洗浄・脱水処理して非塩素漂白に供される。
【００２４】
本発明において、Ｄｏ段における漂白処理条件は、例えば、パルプ濃度３〜２０質量％、好ましくは、５〜１５％質量であり、温度３０〜１１０℃、好ましくは４０〜９０℃、最も好ましくは５０〜７０℃であり、処理時間は１５〜１２０分、好ましくは、３０〜９０分であり、漂白反応後の終期ｐＨは１〜７、好ましくは２〜６、最も好ましくは３〜５である。Ｄｏ段の漂白処理後のパルプは洗浄しないで、ＤＡ段処理を行う。ＤＡとは酸処理のことである。
【００２５】
本発明におけるＤＡ段には、漂白薬品を全く添加することなく処理するもので、しいて使用するものは、ｐＨ調整用として硫酸、もしくは塩酸である。ＤＡ段の条件については、反応温度５０〜９５℃、反応時間６０〜１８０分、反応終期ｐＨ２．０〜４．０の範囲で行う。
【００２６】
Ｅ段、Ｅｏ段に用いられるアルカリ剤としては、例えば、苛性ソーダ、苛性カリ、石灰、ソーダ灰などが使用できる。中でも、苛性ソーダは、安価であることから好適に使用される。また、好ましくは、０．５〜３質量％である。
【００２７】
Ｅｏ段における酸素としては、酸素ガスおよび空気が使用できるが、酸素ガスが好ましい。また、酸素の使用量は絶乾パルプ当たり０．１〜１．０質量％が好適であり、Ｅｏ段の操作圧力は、０．０Ｐａ・ｓ〜９．３×１０５Ｐａ・ｓであることが好ましい。
【００２８】
Ｐ段における過酸化物としては、例えば、過酸化水素、過酸化水素と無機塩類との付加物、過酸化ソーダ、過ギ酸、過酢酸などの無機および有機の過酸化物が使用でき、一般には過酸化水素が好適に使用される。過酸化物の使用量は、１００％過酸化水素換算で絶乾パルプ当たり０．０５〜２質量％、好ましくは０．１〜１質量％である。
【００２９】
Ｐ段のｐＨ調整用として用いられるアルカリ剤は、例えば、苛性ソーダ、苛性カリ、石灰、ソーダ灰などが使用できる。中でも、苛性ソーダは、安価であることから好適に使用される。Ｐ段入口ｐＨは、１１以上、好ましくは、１１．５〜１２．５にするのがよい。
【００３０】
本発明におけるＤ１段の条件については、通常の条件で行われ、例えば、パルプ濃度５〜３０質量％、温度４０〜９０℃、時間１〜４時間、二酸化塩素使用量０．０５〜１質量％であり、漂白終期ｐＨは、３．５〜７、好ましくは４．５〜６．５である。
【００３１】
本発明におけるクラフトパルプのＥＣＦ漂白方法において、蒸解処理された化学パルプを多段漂白する際に、初段二酸化塩素段の後に、酸処理段を設けるものであるが、この酸処理段を設けることにより、作用効果は、脱リグニンが進み、後段の薬品添加率を減少させることができる。
【００３２】
以下に、本発明の実施例を挙げて説明するが、本発明はこれらの実施例に限定されるものではない。また、実施例において示す「％」は、特に明示しない限り、絶乾パルプ当たりの質量％で示す。なお、過酸化水素（Ｈ2Ｏ2）の使用量は、１００％Ｈ2Ｏ2換算である。
【実施例１】
【００３３】
クラフト蒸解後酸素漂白を行ったＬＢＫＰを用い、下記の条件に従ってＤ−ＤＡ−Ｅ−Ｐ−Ｄの漂白シーケンスによる漂白を行った。なお、使用したＬＢＫＰの特性は、白色度５１．５％、Ｋａｐｐａ価９．６、粘度３３．０ｍＰａ・ｓである。
初段Ｄ：濃度１０％、温度５５℃、時間３０分、ＣｌＯ2／０．５％
ＤＡ  ：濃度ＰＣ１０％、温度５５℃、時間９０分、終期ｐＨ２
Ｅ    ：濃度１２％、温度５５℃、時間６０分、ＮａＯＨ／０．７％
Ｐ    ：濃度１２％、温度７０℃、時間９０分、Ｈ2Ｏ2／０．４％、ＮａＯＨ／０．５％
Ｄ    ：濃度１２％、温度７０℃、時間１２０分、ＣｌＯ2／０．１５％
初段Ｄ段終了後、サンプルを水槽より取り出し、ＤＡ段の終期ｐＨが２になるように硫酸を適量添加し、攪拌した後、５５℃に保持した水槽に入れ反応させた。
洗浄条件：初段Ｄ段を除き、各段の反応終了後、パルプ濃度２．５％に希釈し、パルプ濃度２０％に脱水し、次段に移行した。
【実施例２】
【００３４】
実施例１で使用したパルプを用い、Ｄ−ＤＡ−Ｅ−Ｐ−Ｄの漂白シーケンスにより漂白を行った。漂白条件はＤＡ段の終期ｐＨを３になるように硫酸で調整した。その他の漂白条件は、実施例１の条件と同様に実施した。
【実施例３】
【００３５】
実施例１で使用したパルプを用い、Ｄ−ＤＡ−Ｅ−Ｐ−Ｄの漂白シーケンスにより漂白を行った。漂白条件はＤＡ段の終期ｐＨを４になるように硫酸で調整した。その他の漂白条件は、実施例１の条件と同様に実施した。
【実施例４】
【００３６】
実施例１で使用したパルプを用い、Ｄ−ＤＡ−Ｅ−Ｐ−Ｄの漂白シーケンスにより漂白を行った。漂白条件はＤＡ段の濃度１０％、時間１２０分、温度５５℃、終期ｐＨを３になるように硫酸で調整した。その他の漂白条件は、実施例１の条件と同様に実施した。
【実施例５】
【００３７】
実施例１で使用したパルプを用い、Ｄ−ＤＡ−Ｅ−Ｐ−Ｄの漂白シーケンスにより漂白を行った。漂白条件はＤＡ段の濃度１０％、時間１８０分、温度５５℃、終期ｐＨを３になるように硫酸で調整した。その他の漂白条件は、実施例１の条件と同様に実施した。
【実施例６】
【００３８】
実施例１で使用したパルプを用い、Ｄ−ＤＡ−Ｅ−Ｐ−Ｄの漂白シーケンスにより漂白を行った。漂白条件はＤＡ段の濃度１０％、時間９０分、温度７０℃、終期ｐＨを３になるように硫酸で調整した。その他の漂白条件は、実施例１の条件と同様に実施した。
【実施例７】
【００３９】
実施例１で使用したパルプを用い、Ｄ−ＤＡ−Ｅ−Ｐ−Ｄの漂白シーケンスにより漂白を行った。漂白条件はＤＡ段の濃度１０％、時間１２０分、温度７０℃、終期ｐＨを３になるように硫酸で調整した。その他の漂白条件は、実施例１の条件と同様に実施した。
【実施例８】
【００４０】
実施例１で使用したパルプを用い、Ｄ−ＤＡ−Ｅ−Ｐ−Ｄの漂白シーケンスにより漂白を行った。漂白条件はＤＡ段の濃度１０％、時間１８０分、温度７０℃、終期ｐＨを３になるように硫酸で調整した。その他の漂白条件は、実施例１の条件と同様に実施した。
【００４１】
（比較例１）
実施例１で使用したパルプを用い、Ｄ−ＤＡ−Ｅ−Ｐ−Ｄの漂白シーケンスにより漂白を行った。漂白条件はＤＡ段の濃度１０％、時間９０分、温度５５℃、終期ｐＨを１になるように硫酸で調整した。その他の漂白条件は、実施例１の条件と同様に実施した。
【００４２】
（比較例２）
実施例１で使用したパルプを用い、Ｄ−ＤＡ−Ｅ−Ｐ−Ｄの漂白シーケンスにより漂白を行った。漂白条件はＤＡ段の濃度１０％、時間９０分、温度５５℃、終期ｐＨを５になるように硫酸で調整した。その他の漂白条件は、実施例１の条件と同様に実施した。
【００４３】
（比較例３）
実施例１で使用したパルプを用い、Ｄ−ＤＡ−Ｅ−Ｐ−Ｄの漂白シーケンスにより漂白を行った。漂白条件はＤＡ段の濃度１０％、時間３０分、温度５５℃、終期ｐＨを１になるように硫酸で調整した。その他の漂白条件は、実施例１の条件と同様に実施した。
【００４４】
（比較例４）
実施例１で使用したパルプを用い、Ｄ−ＤＡ−Ｅ−Ｐ−Ｄの漂白シーケンスにより漂白を行った。漂白条件はＤＡ段の濃度１０％、時間３０分、温度５５℃、終期ｐＨを５になるように硫酸で調整した。その他の漂白条件は、実施例１の条件と同様に実施した。
【００４５】
（比較例５）
実施例１で使用したパルプを用い、Ｄ−ＤＡ−Ｅ−Ｐ−Ｄの漂白シーケンスにより漂白を行った。漂白条件はＤＡ段の濃度１０％、時間２００分、温度５５℃、終期ｐＨを１になるように硫酸で調整した。その他の漂白条件は、実施例１の条件と同様に実施した。
【００４６】
（比較例６）
実施例１で使用したパルプを用い、Ｄ−ＤＡ−Ｅ−Ｐ−Ｄの漂白シーケンスにより漂白を行った。漂白条件はＤＡ段の濃度１０％、時間２００分、温度５５℃、終期ｐＨを５になるように硫酸で調整した。その他の漂白条件は、実施例１の条件と同様に実施した。
【００４７】
（比較例７）
実施例１で使用したパルプを用い、Ｄ−ＤＡ−Ｅ−Ｐ−Ｄの漂白シーケンスにより漂白を行った。漂白条件はＤＡ段の濃度１０％、時間９０分、温度７０℃、終期ｐＨを１になるように硫酸で調整した。その他の漂白条件は、実施例１の条件と同様に実施した。
【００４８】
（比較例８）
実施例１で使用したパルプを用い、Ｄ−ＤＡ−Ｅ−Ｐ−Ｄの漂白シーケンスにより漂白を行った。漂白条件はＤＡ段の濃度１０％、時間９０分、温度７０℃、終期ｐＨを５になるように硫酸で調整した。その他の漂白条件は、実施例１の条件と同様に実施した。
【００４９】
（比較例９）
実施例１で使用したパルプを用い、Ｄ−Ｅ−Ｐ−Ｄの漂白シーケンスにより漂白を行った。漂白条件は、実施例１の条件と同様に実施した。
【００５０】
（比較例１０）
実施例１で使用したパルプを用い、Ｄ−Ｅ／Ｐ−Ｄの漂白シーケンスにより漂白を行った。
初段Ｄ  ：濃度１０％、温度５５℃、時間３０分、ＣｌＯ2／０．５％
Ｅ／Ｐ  ：濃度１２％、温度５５℃、時間９０分、ＮａＯＨ／０．５％、Ｈ2Ｏ2／０．４％
Ｄ      ：濃度１２％、温度７０℃、時間１２０分、ＣｌＯ2／０．１５％
洗浄条件：初段Ｄ段を除き、各段の反応終了後、パルプ濃度２．５％に希釈し、パルプ濃度２０％に脱水し、次段に移行した。
【００５１】
上記実施例１〜８および比較例１〜１０による漂白方法によって得られたパルプについて、ＤＡ段出口ｐＨ、ＪＩＳ  Ｐ８１２３準拠して測定されたハンター白色度（％）を下記表１に示す。
【００５２】
【表１】
2005120481.tif 000002
【００５３】
表１のように終期ｐＨが２〜４の範囲外になると、漂白効果が大幅に低下した。また、最終ｐＨを１にするために硫酸をかなり添加しなければならず、添加しても白色度向上は添加に見合うほど向上しなかった。
【産業上の利用可能性】
【００５４】
本発明は、酸処理による効率化を最大限に発揮して高白色度のパルプを得ることができるクラフトパルプのＥＣＦ漂白方法に適用するものである。